(57)【特許請求の範囲】
【請求項１】
演奏データを格納する中央装置と、その中央装置に接続され、入力された曲指定情報に対応する演奏データを前記中央装置から受信して再生する少なくとも１つの端末装置とから成る通信システムにおいて、
前記中央装置は、前記演奏データに対応する演奏データ情報が格納された演奏データ情報格納手段を備え、
前記端末装置は、
前記曲指定情報を入力するための入力手段と、
前記入力手段から入力された曲指定情報を記憶する記憶手段と、
前記入力手段から曲指定情報が入力されたときに前記演奏データを再生中の場合には、前記中央装置に対して入力された曲指定情報に対応する演奏データ情報を要求する演奏データ情報要求手段と、
前記中央装置から送られてきた演奏データ情報を、前記記憶手段に記憶された曲指定情報に対応させて前記記憶手段に記憶させる制御手段と、
前記記憶手段に記憶された演奏データ情報を表示する表示手段と
を備えたことを特徴とする通信システム。
【請求項２】
演奏データを格納する中央装置から、入力された曲指定情報に対応する演奏データを受信して再生する端末装置において、
前記曲指定情報を入力するための入力手段と、
前記入力手段から入力された曲指定情報を記憶する記憶手段と、
前記入力手段から曲指定情報が入力されたときに前記演奏データを再生中の場合には、前記中央装置に対して入力された曲指定情報に対応する演奏データ情報を要求する演奏データ情報要求手段と、
前記中央装置から送られてきた演奏データ情報を、前記記憶手段に記憶された曲指定情報に対応させて記憶手段に記憶させる制御手段と、
前記記憶手段に記憶された演奏データ情報を表示する表示手段と
を備えたことを特徴とする端末装置。
【発明の詳細な説明】
【０００１】
【産業上の利用分野】
本発明は、複数の演奏データを格納する中央装置と、その中央装置に接続され、入力された曲指定情報に対応する演奏データを前記中央装置から受信して再生する少なくとも１つの端末装置とからなる通信システム及び端末装置に関するものである。
【０００２】
【従来の技術】
従来、営業用のカラオケ装置としては、中央装置から複数のカラオケ端末装置に演奏データを伝送するカラオケ通信システムが存在した。この種のカラオケ通信システムは、個々の店舗または部屋に設置された複数のカラオケ端末装置のそれぞれと、多数の曲のデータを格納した中央装置とを伝送回線を介して結んだものである。カラオケ端末装置から中央装置に対して所望の曲を伝送回線を介してリクエストすると、中央装置はそのリクエストに係わるカラオケデータを高速伝送回線を介してカラオケ端末装置に伝送する。カラオケ端末装置は、伝送されてきたカラオケデータを一時記憶し、データを再生して演奏出力する。さらに中央装置は各カラオケ端末から次のリクエスト曲も受け付け、カラオケ端末がデータを再生している途中でもリクエスト曲の送信を行っていた。
【０００３】
【発明が解決しようとする課題】
しかしながら、上記のような装置において、利用者はカラオケ端末へ曲番号で入力し、カラオケ端末も中央装置へ曲番号で曲のデータを要求するので、カラオケ端末が予約曲名を表示するために必要な情報を得るには曲のデータが中央装置から送られてくるまで待たなくてはならない。よって、曲をもらうまでに時間がかかる時や、カラオケ端末が有している記憶装置に限りがあり曲データをもらえない時には、予約された曲番号の曲名などの情報を得られなかったため、予約曲名などを表示しようとしても表示するべき曲名のデータがないため表示できなかった。また、曲番号に曲名を対応させた情報をカラオケ端末の記憶装置に持とうとしても曲数が数千にも及ぶ場合にはその情報量が大きくなりすぎて記憶装置を大容量のものにしなければならなかった。
【０００４】
また、中央装置がレーザーディスクなどを制御して音声や映像信号を送ってくるシステムにおいても、曲名は予約曲の演奏時にしかわからなかった。
【０００５】
本発明は、上述した問題点を解決するためになされたものであり、その目的は、端末装置にて曲が予約されたら迅速に現在の予約曲の曲名などの情報を当該端末装置毎に表示できる機能を有する通信システム及び端末装置を提供することである。
【０００６】
【課題を解決するための手段】
この目的を達成するために請求項１に係る発明の通信システムは、演奏データを格納する中央装置と、その中央装置に接続され、入力された曲指定情報に対応する演奏データを前記中央装置から受信して再生する少なくとも１つの端末装置とから成る通信システムにおいて、前記中央装置は、前記演奏データに対応する演奏データ情報が格納された演奏データ情報格納手段を備え、前記端末装置は、前記曲指定情報を入力するための入力手段と、前記入力手段から入力された曲指定情報を記憶する記憶手段と、前記入力手段から曲指定情報が入力されたときに前記演奏データを再生中の場合には、前記中央装置に対して入力された曲指定情報に対応する演奏データ情報を要求する演奏データ情報要求手段と、前記中央装置から送られてきた演奏データ情報を、前記記憶手段に記憶された曲指定情報に対応させて前記記憶手段に記憶させる制御手段と、前記記憶手段に記憶された演奏データ情報を表示する表示手段とを備えている。
また、請求項２に係る発明の端末装置は、演奏データを格納する中央装置から、入力された曲指定情報に対応する演奏データを受信して再生する端末装置において、前記曲指定情報を入力するための入力手段と、前記入力手段から入力された曲指定情報を記憶する記憶手段と、前記入力手段から曲指定情報が入力されたときに前記演奏データを再生中の場合には、前記中央装置に対して入力された曲指定情報に対応する演奏データ情報を要求する演奏データ情報要求手段と、前記中央装置から送られてきた演奏データ情報を、前記記憶手段に記憶された曲指定情報に対応させて記憶手段に記憶させる制御手段と、前記記憶手段に記憶された演奏データ情報を表示する表示手段とを備えている。
【０００７】
【作用】
上記の構成を有する請求項１に係る発明の通信システムにおいては、中央装置の演奏データ情報格納手段は、演奏データに対応する演奏データ情報を格納し、端末装置では、入力手段から曲指定情報が入力され、記憶手段に入力手段から入力された曲指定情報が記憶され、入力手段から曲指定情報が入力されたときに演奏データを再生中の場合には、演奏データ情報要求手段が中央装置に対して入力された曲指定情報に対応する演奏データ情報を要求し、制御手段が中央装置から送られてきた演奏データ情報を、記憶手段に記憶された曲指定情報に対応させて記憶手段に記憶させ、表示手段が記憶手段に記憶された演奏データ情報を表示する。
また、請求項２に係る発明の端末装置においては、入力手段から曲指定情報が入力され、記憶手段に入力手段から入力された曲指定情報が記憶され、入力手段から曲指定情報が入力されたときに演奏データを再生中の場合には、演奏データ情報要求手段が中央装置に対して入力された曲指定情報に対応する演奏データ情報を要求し、制御手段が中央装置から送られてきた演奏データ情報を、記憶手段に記憶された曲指定情報に対応させて記憶手段に記憶させ、表示手段が記憶手段に記憶された演奏データ情報を表示する。
【０００８】
【実施例】
以下、本発明を具体化した一実施例を図面を参照して説明する。
【０００９】
図２はカラオケ通信システムの全体的な概略構成図を示すブロック図である。
【００１０】
このカラオケ通信システムは、大きな構成要素として、１つの中央装置Ａ、複数のカラオケ端末装置Ｂ、および、中央装置Ａと各カラオケ端末Ｂとを双方向的に結ぶ伝送回線Ｃを備えている。
【００１１】
中央装置Ａは、大容量のカラオケデータ格納手段１と、カラオケデータ情報格納手段２と、中央側制御手段３と、中央側通信手段４とから構成されている。カラオケデータ格納手段１は、膨大な量のカラオケデータ（演奏データ及び背景データ）を格納しているもので、例えば、磁気ディスクなどが使用されている。演奏データには、音楽データと、歌詞データとが含まれている。カラオケデータ情報格納手段２は、このカラオケ通信システムに登録されている全ての曲のカラオケデータ情報を記憶している。カラオケデータ情報は演奏データの曲名、作詞者名、作曲者名などで構成されている。中央側制御手段３は、中央側通信手段４を介してカラオケ端末装置Ｂから送信されてきたカラオケデータリクエストまたはカラオケデータ情報リクエストに応じてカラオケデータ格納手段１やカラオケデータ情報格納手段２から対応するカラオケデータやカラオケデータ情報を読みだす機能と、その読みだしたカラオケデータやカラオケデータ情報をカラオケ端末装置Ｂに送信するように中央側通信手段４を制御する機能などを備えている。この中央制御手段３は、マイクロコンピュータで構成されている。
【００１２】
図１は１つのカラオケ端末装置Ｂの概略構成を示すブロック図である。カラオケ端末装置Ｂは、端末側制御手段５と、入力手段６と、端末側通信手段７と、カラオケデータ記憶手段８と、カラオケデータ情報記憶手段９と、Ｄ／Ａコンバータ１０と、オーディオアンプ１１と、マイクロフォン１２と、スピーカ１３と、グラフィックプロセッサ１４と、モニタディスプレイ１５とから構成されている。前記Ｄ／Ａコンバータ１０とオーディオアンプ１１とマイクロフォン１２とが楽音変換手段１６を構成している。入力手段６は、複数の希望する演奏曲を演奏順に指定するものであり、割り込みによって演奏曲の指定を行うことができる。
【００１３】
端末側通信手段７は伝送回線Ｃを介して中央装置Ａの中央側通信手段４と双方向的に結ばれており、入力手段６より入力された曲指定番号に対応したカラオケデータリクエストもしくはカラオケデータ情報リクエストを中央装置に送信すると共に、中央装置Ａで読みだされたカラオケデータまたはカラオケデータ情報を受信するものである。カラオケデータ記憶手段８は、中央装置Ａから送信され端末側通信手段７によって受信したカラオケデータを格納しておくためのものである。このカラオケデータ記憶手段８としては、半導体メモリなどが用いられる。カラオケデータ情報記憶手段９は中央装置Ａから送信され端末側通信手段７によって受信した複数のカラオケデータ情報を格納しておくためのものである。このカラオケデータ情報記憶手段９としては、半導体メモリなどが用いられる。
【００１４】
楽音変換手段１６を構成するＤ／Ａコンバータ１０は端末側制御手段５によってカラオケデータ記憶手段から読みだされたカラオケデータの中のこれから演奏すべき演奏データのうちの音楽データをアナログのカラオケ音音声信号に変換するものである。オーディオアンプ１１は、Ｄ／Ａコンバータ１０からのカラオケ音音声信号と、歌い手によるマイクロフォン１２からの歌唱音声信号とをミキシングして増幅し、スピーカ１３に出力するものである。
【００１５】
グラフィックプロセッサ１４は、端末側制御手段５によってカラオケデータ記憶手段８から読みだされたカラオケデータの中のこれから演奏すべき演奏データのうちの歌詞データ及び背景映像データからそれぞれ歌詞映像信号及び背景映像信号を生成し、それらをスーパーインポーズしてモニタディスプレイ１５に出力するものである。また、入力手段６によって指定され、端末側制御手段５によってカラオケデータ情報記憶手段９から読みだされたカラオケデータ情報の中から指定曲の情報の映像信号を生成し、それらをモニタディスプレイ１５に出力する。端末側制御手段５は、カラオケ端末装置Ｂの全体を制御するものであり、マイクロコンピュータで構成されている。
【００１６】
図３は、カラオケ端末装置Ｂの概略的な外観を示しており、入力手段６とスピーカ１３とモニタディスプレイ１５とが図示されている。入力手段６は、曲指定番号の入力のためのテンキー６ａと、入力された曲指定番号を表示するインジケーター６ｂと、入力された曲指定番号の数すなわち予約曲数を表示するインジケーター６ｃとを有している。モニタディスプレイ１５には、カラオケデータ情報に記憶されていた予約されている曲の曲名などが表示された状態が描かれている。
【００１７】
図４は、カラオケデータ情報格納手段１に格納されているカラオケデータ情報の詳細を示している。カラオケデータ情報はカラオケデータ格納手段１に格納されているカラオケデータの全てにそれぞれ対応しており、１曲毎に曲指定番号と曲名と作詞者名と作曲者名とから構成されている。
【００１８】
図５は、カラオケデータ情報記憶手段９に記憶されているカラオケデータ情報の詳細を示している。カラオケデータ情報記憶手段９に記憶されるデータは入力手段６によって指定された曲指定番号を端末側制御手段５が指定された順番に予約登録し、中央装置Ａから受信した１曲単位のカラオケデータ情報を予約順に記憶したものである。
【００１９】
次に、本実施例のカラオケ通信システムの動作を図６及び図７に示すフローチャートを用いて説明する。
【００２０】
まず、カラオケ端末Ｂに於ける割り込み処理について図６を参照して説明する。
【００２１】
この割込み処理は、カラオケの利用者が入力手段６のテンキー６ａを操作した場合と、演奏開始によって、楽音変換手段１６が演奏のための音楽データを要求する場合に発生する。まず、割り込み処理が曲指定番号の入力によるものか、演奏のためのカラオケデータの要求によるものかを判断する（Ｓ２）。前者の場合、入力手段６によって指定された番号を読み（Ｓ２０）、指定番号をカラオケデータ情報記憶手段９の曲指定番号の予約バッファの上位から空きを探し、曲指定番号を記憶することにより指定番号の予約をする（Ｓ２２）。続いて、前記指定番号をインジケーターに表示する（Ｓ２４）。次に、予約曲数をインクリメントして記憶すると共にインジケーターに表示する（Ｓ２６）。
【００２２】
後者の場合、楽音変換手段１６が、音楽データを必要とするタイミングに割り込みを要求し、演奏開始時に指定された音楽データの回数（割り込み要求回数）だけ割り込みを発生する。割り込みが発生すると、端末側制御手段５はカラオケデータ記憶手段８のカラオケデータの中から演奏データを読出し（Ｓ４）、読み出したデータが歌詞データならば（Ｓ６）、歌詞データと背景画データをグラフィックプロセッサ１４に送出する（Ｓ８）。グラフィックプロセッサ１４は、歌詞データ及び背景画データからそれぞれ歌詞映像信号及び背景映像信号を生成し、それらをスーパーインポーズしてモニタディスプレイ１５に出力し、モニタディスプレイ１５において歌詞映像及び背景映像を映しだす。
【００２３】
また、端末制御手段５は、読みだしたデータが音楽データならば（Ｓ６）、楽音変換手段１６へ音楽データを送る（Ｓ１０）。楽音変換手段１６において、Ｄ／Ａコンバータ１０は、前記音楽データをアナログのカラオケ音音声信号に変換し、オーディオアンプ１１に出力する。オーディオアンプ１１は、カラオケ音音声信号を増幅してスピーカ１３に出力し、スピーカ１３からカラオケ音を演奏出力する。
【００２４】
歌い手は、モニタディスプレイ１５に映しだされた歌詞を見ながらスピーカ１３からの演奏出力に併せて歌唱する。その歌唱音声はマイクロフォン１２から歌唱音声信号としてオーディオアンプ１１に入力され、オーディオアンプ１１に於いてＤ／Ａコンバータ１０からのカラオケ音音声信号と歌唱音声信号とがミキシングされ、スピーカ１３から出力される。
【００２５】
さらに、端末側制御手段５は、割り込み要求回数を１つ減らし（Ｓ１２）、割り込み処理を終了する。同様の動作を行って演奏が進行していき割り込み要求回数が０になると（Ｓ１４）、演奏が終了したということであるので、終了フラグをオンにして（Ｓ１６）終了する。
【００２６】
このように割り込み処理をすることにより、端末制御手段５がどのような処理をしていても演奏が中断されず、また曲番号の指定による予約処理がいつでも行える。
【００２７】
次に、図７に示すフローチャートについて説明する。
【００２８】
まず、カラオケ端末装置Ｂの電源投入後は、初期設定をする（Ｓ２８）。次に、入力手段６によって曲指定番号が入力され、前記割り込み処理によって予約曲としてカラオケデータ情報記憶手段９に記憶されるまで待つ（Ｓ３０）。予約曲が入力されていたら、カラオケデータ情報記憶手段９に記憶されている１番先頭の予約曲の曲指定番号を取りだし、その曲指定番号による曲リクエストを端末側通信手段７を通して、中央装置Ａに送出する。中央装置Ａはカラオケ端末装置Ｂから送られてきた曲リクエストで指定される曲番号に対応したカラオケデータをカラオケデータ格納手段１より読出し中央側通信手段４を通してカラオケ端末装置Ｂにカラオケデータを送る。端末側制御手段５は端末側通信手段７を通してカラオケデータを受け取ったら一旦カラオケデータ記憶手段８にカラオケデータを記憶する（Ｓ３２）。続いて、カラオケデータ情報記憶手段９に記憶されている１番目の予約曲のバッファを消し、現在記憶されているそれ以下の予約曲の予約番号をそれぞれ繰り上げていくように、バッファの更新を行う（Ｓ３３）。
【００２９】
次に、演奏を開始するために楽音変換手段１６が演奏割り込みを要求するようにする（Ｓ３４）。演奏が開始されたら、端末側制御手段５は割り込み処理からの演奏終了フラグを待ちながら（Ｓ３６）、次の予約曲が入力されるのを待つ（Ｓ３８）。演奏終了フラグがオンになる前に、利用者が入力手段６より曲番号を指定すると、前記割り込み処理によりカラオケデータ情報記憶手段９の予約バッファに予約された曲番号が記憶されるので、端末側制御手段５は予約曲バッファから曲番号を取りだし、その曲のカラオケデータ情報リクエストを端末側通信手段７を通して、中央装置Ａに送る。
【００３０】
中央装置Ａはこのカラオケデータ情報リクエストを中央側通信手段４を通して受け取ると、このリクエストに対応したカラオケデータ情報をカラオケデータ情報格納手段２から読出し、中央側通信手段４を通して、カラオケ端末装置Ｂへ送る。端末側制御手段５は、カラオケデータ情報記憶手段９の予約バッファの予約番号が対応する場所を探し、中央装置Ａより受け取ったカラオケデータ情報をこの場所へ図５のように記憶する（Ｓ４０）。この動作を予約バッファに予約番号が指定されていて、カラオケデータ情報がない場合に繰り返して行う。
【００３１】
端末側制御手段５は、演奏終了フラグがオンになっているのを確認すると（Ｓ３６）、予約曲の有無を判定し（Ｓ４２）、予約曲がなければ予約曲待ちに戻る。予約曲があれば、すでに予約曲のカラオケデータ情報がカラオケデータ情報記憶手段９に記憶されているので、そのカラオケデータ情報の曲名を予約１から順番に読出し、図３のモニタディスプレイ１５に表示されているような予約曲表示データに展開し、グラフィックプロセッサ１４に送出する（Ｓ４４）。グラフィックプロセッサ１４は予約曲表示データを映像信号に変換し、モニタディスプレイ１５に送出する。モニタディスプレイ１５は送られてきた映像信号を表示し、図３のようになる。
【００３２】
このようにして、カラオケ端末装置Ｂは、利用者が希望する曲の指定番号を常時入力することができ、その入力に応じて中央装置Ａにカラオケデータ情報のリクエストを送信し、中央装置Ａはリクエストに対応したカラオケデータ情報をカラオケ端末装置Ｂに送るので、カラオケ端末装置Ｂはカラオケデータを受け取っていなくても、カラオケデータ情報は持つことができ、予約された曲のカラオケデータ情報をモニタディスプレイに表示することができる。よって、利用者は予約した曲の全ての曲名をすぐにモニタディスプレイにて確認できる。
【００３３】
なお、本実施例ではカラオケデータを一旦カラオケ端末装置に読み込み、カラオケ端末装置で演奏するシステムで説明したが、中央装置側で演奏し、その音声信号と、映像信号をカラオケ端末側に送信するシステム（例えば中央装置がレーザーディスクプレーヤーを管理しているシステムなど）でもよい。
【００３４】
また、カラオケデータ情報は、その曲の曲名や作詞者名、作曲者名だけでなく、演奏時間や、歌手名などカラオケ曲の情報ならば何でもよいし、カラオケデータ情報として持つのでなく、カラオケデータ内部に持つ情報を利用してカラオケ端末に情報を送ってもよい。
【００３５】
また、予約情報は利用者にわかればよいのでモニタディスプレイへの表示ではなく、音声にして出力したりしてもよい。
【００３６】
【発明の効果】
以上説明したことから明かなように本発明では、入力手段から曲指定情報が入力されたときに演奏データを再生中の場合には、演奏データ情報要求手段が中央装置に対して入力された曲指定情報に対応する演奏データ情報を要求し、制御手段が中央装置から送られてきた演奏データ情報を、記憶手段に記憶された曲指定情報に対応させて記憶手段に記憶させ、表示手段が記憶手段に記憶された演奏データ情報を表示することができるため、端末装置内に膨大な情報を記憶することなく、予約された曲データの曲名などのカラオケデータ情報を告示することができ、利用者が予約した全ての曲の曲名などの情報を容易に且つ迅速に確認できるなどの効果を有する。
【図面の簡単な説明】
【図１】本実施例のカラオケ通信システムの構成を示すブロック図である。
【図２】本実施例のカラオケ通信システムの全体的な概略構成を示すブロック図である。
【図３】本実施例のカラオケ端末装置の概略的な外観図である。
【図４】本実施例の中央装置に格納されているカラオケデータ情報を示す構造図である。
【図５】本実施例のカラオケ端末装置に記憶されているカラオケデータ情報を示す構造図である。
【図６】本実施例のカラオケ端末装置における割り込み処理に関する動作を示すフローチャートである。
【図７】本実施例のカラオケ端末装置に於ける動作を示すフローチャートである。
【符号の説明】
Ａ    中央装置
Ｂ    カラオケ端末装置
Ｃ    伝送回線
１    カラオケデータ格納手段
２    カラオケデータ情報格納手段
３    中央側制御手段
５    端末側制御手段
６    入力手段
１４  グラフィックプロセッサ
１６  楽音変換手段
【図１】
0003539502.tif 000002
【図２】
0003539502.tif 000003
【図３】
0003539502.tif 000004
【図４】
0003539502.tif 000005
【図５】
0003539502.tif 000006
【図６】
0003539502.tif 000007
【図７】
0003539502.tif 000008